(57)【特許請求の範囲】
【請求項１】
ダブルヘッドチューブの成形方法であって、
チューブ体を第１モールド上に被嵌し、第１ヘッドを前記チューブ体の一端部に配置し、前記チューブ体の一端部と前記第１ヘッドをハンダシーリングした後、モールドをはずすステップ１と、
第２モールドを前記第１ヘッドの開口から前記チューブ体の別の一端部に貫入し、環状固定部材を前記第２モールドの端部に係合させて位置を限定し、並びに前記チューブ体の別の一端部の内側に位置させるステップ２と、
第２ヘッドを前記チューブ体の別の一端部に配置し、前記チューブ体の別の一端部、前記環状固定部材、及び前記第２ヘッドの周囲縁をハンダシーリングした後、モールドをはずすステップ３とを含むことを特徴とするダブルヘッドチューブの成形方法。
【請求項２】
前記ステップ１において、前記第１モールドの外径と前記チューブ体の内径とを一致させることを特徴とする請求項１に記載のダブルヘッドチューブの成形方法。
【請求項３】
前記ステップ２において、前記環状固定部材の外径と前記チューブ体の内径とを一致させ、前記環状固定部材の内径と前記第２モールドの外径とを一致させることを特徴とする請求項１に記載のダブルヘッドチューブの成形方法。
【請求項４】
前記第１ヘッドと前記第２ヘッドにはそれぞれ、生産のニーズに応じた機能ヘッドを設けるか、前記機能ヘッドあるいは回転蓋を取り付けるのに用いる接続ヘッドを設けることを特徴とする請求項１に記載のダブルヘッドチューブの成形方法。
【請求項５】
前記第１モールドと第２モールドはいずれも柱状モールドであり、それぞれに位置調節可能な第１位置限定体、第２位置限定体を設けることを特徴とする請求項１に記載のダブルヘッドチューブの成形方法。
【請求項６】
前記柱状モールドの断面は円形、楕円形、或いは正多角形であることを特徴とする請求項５に記載のダブルヘッドチューブの成形方法。
【請求項７】
チューブ体、第１ヘッド、環状固定部材、及び第２ヘッドを備えるダブルヘッドチューブの構造であって、
前記第１ヘッドは前記チューブ体の一つの端部に係合させてハンダシーリングし、前記チューブ体の別の一端部は前記環状固定部材の外周に被嵌し、前記チューブ体の別の一端部、前記環状固定部材、及び前記第２ヘッドを係合させてハンダシーリングし、前記環状固定部材は前記チューブ体と前記第２ヘッドに繋げるものであり、
前記第２ヘッドには前記環状固定部材方向に突出した環状突出縁を形成し、前記環状突出縁を貫通孔に挿入し、前記環状突出縁の頂端には前記第２ヘッドの径方向に沿って突出した位置限定部を形成し、前記位置限定部に対応する貫通孔箇所には位置限定段状部を形成し、前記位置限定部と前記位置限定段状部によって位置が限定されることで、それに係合する前記環状突出縁が前記貫通孔から離脱することを防ぐことを特徴とするダブルヘッドチューブの構造。
【請求項８】
前記第１ヘッドと前記第２ヘッドにはそれぞれ、生産ニーズに応じた機能ヘッドを設けるか、前記機能ヘッドまたは回転蓋を取り付けるための接続ヘッドを設けることを特徴とする請求項７に記載のダブルヘッドチューブの構造。
【請求項９】
前記機能ヘッドは押出式機能ヘッド、髪梳き式機能ヘッド、刷毛式機能ヘッド、突出粒式マッサージヘッド、回転軸式マッサージヘッド、回転玉式マッサージヘッド、或いは回転ボール式マッサージヘッドであることを特徴とする請求項８に記載のダブルヘッドチューブの構造。
【請求項１０】
チューブ体、第１ヘッド、環状固定部材、及び第２ヘッドを備えるダブルヘッドチューブの構造であって、
前記第１ヘッドは前記チューブ体の一つの端部に係合させてハンダシーリングし、前記チューブ体の別の一端部は前記環状固定部材の外周に被嵌し、前記チューブ体の別の一端部、前記環状固定部材、及び前記第２ヘッドを係合させてハンダシーリングし、前記環状固定部材は前記チューブ体と前記第２ヘッドに繋げるものであり、
前記第２ヘッドには前記環状固定部材方向に突出した環状突出縁を形成し、前記環状突出縁を貫通孔に挿入し、前記環状突出縁の頂端には前記第２ヘッドの径方向に沿って突出した位置限定部を形成し、前記位置限定部に対応する貫通孔箇所には位置限定段状部を形成し、前記位置限定部と前記位置限定段状部によって位置が限定されることで、それに係合する前記環状突出縁が前記貫通孔から離脱することを防ぎ、
前記ダブルヘッドチューブは、第１外蓋と第２外蓋をさらに備え、前記第１外蓋と前記第２外蓋はそれぞれ可動状態で前記第１ヘッドと前記第２ヘッドに被嵌されることを特徴とするダブルヘッドチューブの構造。
【請求項１１】
前記第１外蓋は、ねじか嵌着によって、係合する前記第１ヘッドの外周に被嵌されることを特徴とする請求項１０に記載のダブルヘッドチューブの構造。
【請求項１２】
前記第２外蓋は、ねじか嵌着によって、係合する前記第２ヘッドの外周に被嵌されることを特徴とする請求項１０に記載のダブルヘッドチューブの構造。
【発明の詳細な説明】
【技術分野】
【０００１】
本発明は、包装技術分野に関し、特にダブルヘッドチューブの成形方法及びその構造に関する。
【背景技術】
【０００２】
チューブ包装は、使用における便利性があり、経済的、衛生的であるがゆえに、化粧品、医薬品、食品での主な包装となっている。現在、化粧品は、チューブ包装の最大ユーザー群であり、チューブ包装業務全体のほぼ６０％ないし７０％を占める。また、チューブ包装は医薬業界においては主にクリーム状のものや塗り薬等の外用薬品の包装に使われ、その比率はほぼ１５％ないし２０％を占める。
【０００３】
従来のチューブ構造は、機能ヘッドをチューブ体の頭部箇所にハンダシーリングし、チューブ体内に内容物を注入した後、チューブ体の下端箇所に密封処理を施している。従来のチューブの内容物は一回だけの注入式で、内容物を使い切ったときには廃棄処分であるため重複使用が不可能である。しかも化粧品、医薬品分野の一部には特殊作用をそなえた機能ヘッドもあり、その材料には貴金属を含むがゆえに、内容物のコストを上回り、資源の浪費を招く状況を引き起こしている。それと同時に、従来のチューブの構造は単一機能のヘッドであるため、一種類の内容物に異なる機能を有するヘッド（例えば眼部クリームに異なるタイプのマッサージヘッドを組み合わせるなど）を組み合わせることは不可能である。また、チューブ体のヘッド箇所に接続するヘッドを設け、取り外しのできる多機能ヘッドを組み合わせるものもある。だが、その使用においてはチューブ体にはその一つの機能しか持たせられず、その他の機能ヘッドは別に収納しておく必要があり、使用時には取り外しを繰り返さなければならず面倒であり、機能ヘッドを別に収納することで遺失してしまうといったリスクもある。
【発明の概要】
【発明が解決しようとする課題】
【０００４】
本発明の目的は、ダブルヘッドチューブの成形方法及びその構造を提供することであり、チューブ形状の安定性を確実にするという前提のもと、チューブ体の両端にチューブヘッドをハンダシーリングし、ユーザーの異なるニーズに応じて異なるタイプのチューブヘッドを組み合わせ、多様化する生産ニーズを満足させるものである。
【課題を解決するための手段】
【０００５】
前述の目的を達成するため、解決方法として提供する本発明のダブルヘッドチューブの成形方法は、下記のステップを含む。
ステップ１において、チューブ体を第１モールド上に被嵌し、第１ヘッドをチューブ体の一端部に配置し、チューブ体の一端部と第１ヘッドをハンダシーリングした後、モールドをはずす。
ステップ２において、第２モールドを第１ヘッドの開口からチューブ体の別の一端部に貫入し、環状固定部材を第２モールドの端部に係合させて位置を限定し、並びにチューブ体の別の一端部の内側に位置させる。
ステップ３において、第２ヘッドをチューブ体の別の一端部に配置し、チューブ体の別の一端部、環状固定部材、及び第２ヘッドの周囲縁をハンダシーリングした後、モールドをはずす。
【０００６】
ステップ1において、第１モールドの外径とチューブ体の内径とを一致させる。
ステップ２において、環状固定部材の外径とチューブ体の内径とを一致させ、環状固定部材の内径と第２モールドの外径とを一致させる。
【０００７】
第１ヘッドと第２ヘッドはそれぞれ生産のニーズに応じて機能ヘッドを設けるか、機能ヘッドあるいは回転蓋を取り付けるのに用いる接続ヘッドを設ける。
第１モールドと第２モールドはいずれも柱状モールドであり、それぞれに位置調節可能な第１位置限定体、第２位置限定体を設ける。
柱状モールドの断面は円形、楕円形、或いは正多角形である。
【０００８】
本発明によるダブルヘッドチューブは、チューブ体、第１ヘッド、環状固定部材、及び第２ヘッドを備える。
第１ヘッドはチューブ体の一つの端部に係合させてハンダシーリングし、チューブ体の別の一端部は環状固定部材の外周に被嵌し、チューブ体の別の一端部、環状固定部材、及び第２ヘッドを係合させてハンダシーリングする。環状固定部材はチューブ体と第２ヘッドに繋がる。
第１ヘッドと第２ヘッドにはそれぞれ、生産ニーズに合わせて機能ヘッドを設けるか、機能ヘッドまたは回転蓋を取り付けるための接続ヘッドを設ける。
機能ヘッドは押出式機能ヘッド、髪梳き式機能ヘッド、刷毛式機能ヘッド、突出粒式マッサージヘッド、回転軸式マッサージヘッド、回転玉式マッサージヘッド、或いは回転ボール式マッサージヘッドである。
第２ヘッドには環状固定部材方向に突出した環状突出縁を形成し、環状突出縁を貫通孔に挿入する。環状突出縁の頂端には第２ヘッドの径方向に沿って突出した位置限定部を形成し、位置限定部に対応する貫通孔箇所には位置限定段状部を形成する。位置限定部と位置限定段状部によって位置が限定されることで、それに係合する環状突出縁が貫通孔から離脱するのを防ぐ。
【０００９】
本発明によるダブルヘッドチューブは、第１外蓋と第２外蓋をさらに備え、第１外蓋と第２外蓋は可動状態で第１ヘッドと第２ヘッドに被嵌する。
第１外蓋はねじか嵌着によって、係合する第１ヘッドの外周に被嵌される。
第２外蓋はねじか嵌着によって、係合する第２ヘッドの外周に被嵌される。
【発明の効果】
【００１０】
上述の方法及び構造を採用した本発明は、二次成形の製造技術によってチューブ体の両端それぞれに第１ヘッドと第２ヘッドをハンダシーリングする。そのうち、第２ヘッドをハンダシーリングする際、環状固定部材を用いることによりチューブ体の端部の変形を防ぐため、二次成形過程におけるチューブ体の変形がなく、ハンダシーリング効果を高められる。この方法は、ユーザーの異なる要望に応じてチューブ体の両端に異なるタイプのチューブヘッドをハンダシーリングし、生産において多様化するニーズを満足させることができる。並びに、第１モールドと第２モールドの構造はシンプルであり、従来の製造技術の基礎上に過多の生産コストを付加させることはない。
【図面の簡単な説明】
【００１１】
【図１】本発明の実施形態に関する第１ヘッドを密閉固着する過程を示した模式図である。
【図２】本発明の実施形態に関する環状固定部材を取り付ける過程を示した模式図である。
【図３】本発明の実施形態に関する第２ヘッドを密閉固着する過程を示した模式図である。
【図４】本発明の第１実施形態に関する構造の分解斜視図である。
【図５】本発明の第１実施形態に関する構造の側断面図である。
【図６】本発明の第２実施形態に関する側断面図である。
【図７】本発明の第３実施形態に関する分解斜視図である。
【図８】本発明の第３実施形態に関する側断面図である。
【図９】本発明の第４実施形態に関する分解斜視図である。
【図１０】本発明の第４実施形態に関する側断面図である。
【図１１】本発明の第５実施形態に関する分解斜視図である。
【発明を実施するための形態】
【００１２】
さらに本発明に関して、具体的な実施形態を示して詳細な説明を行う。
ダブルヘッドチューブの成形方法は、具体的に下記のステップを含む。
ステップ１において、図１に示す通り、チューブ体１を第１モールド１００に被嵌する。第１ヘッド２をチューブ体１の一端部に配置し、チューブ体１の一端部と第１ヘッド２の周囲縁をハンダシーリングした後、モールドをはずす。第１モールド１００の外径とチューブ体１の内径とが一致するため、第１モールド１００はチューブ体１を完全に支持し、ハンダシーリング時にチューブ体１が変形することはけっしてない。
【００１３】
ステップ２は図２に示す通り、第２モールド２００を第１ヘッド２の開口からチューブ体１の別の一端部に貫入し、環状固定部材３を第２モールド２００の端部に係合させて位置を限定し、並びにチューブ体１の別の一端部の内側に位置させる。そのうち、環状固定部材３の外径とチューブ体１の内径とが一致するため、環状固定部材３はチューブ体１の別の一端部を完全に支持し、後続するハンダシーリング工程においてチューブ体１を変形させないことを確実にする。環状固定部材３の内径と第２モールド２００の外径とが一致するため、環状固定部材３は確実に、第２モールド２００の端部において係合して位置限定される。
【００１４】
ステップ３は図３に示す通り、第２ヘッド４をチューブ体１の別の一端部に配置し、チューブ体１の別の一端部、環状固定部材３、及び第２ヘッド４の周囲縁をハンダシーリングした後、モールドをはずす。
【００１５】
前述した第１ヘッド２と第２ヘッド４にはそれぞれ、生産のニーズに応じた機能ヘッドを設けるか、機能ヘッドあるいは回転蓋を取り付けるのに用いる接続ヘッドを配置する。即ち、最終製品の機能ヘッドは、チューブ体１上に直接成形し、取り外しできない形態とするか、接続ヘッドを使って取り外し可能な状態でチューブ体１上に取り付ける形態としてもよい。図１〜図３に示した通り、前述の第１ヘッド２は大口径の注入口を有する接続ヘッドであり、回転蓋に係合させ、内容物を複数回注入するのに用いられる。第２ヘッド４は小口径の注入口を有する押出式機能ヘッドであり、内容物を押し出すのに用いられる。
【００１６】
図１〜図３に示す通り、第１モールド１００と第２モールド２００はいずれも柱状モールドであり、それぞれに位置調節可能な第１位置限定体１０１、第２位置限定体２０１を設けて、チューブ体１に嵌入させる第１モールド１００或いは第２モールド２００の位置を限定し、並びに、生産する異なるサイズのチューブ体１に合わせて第１位置限定体１０１と第２位置限定体２０１の位置を調節する。柱状モールドの断面は円形、楕円形、或いは正多角形とし、異なるタイプのチューブ体１に係合させることが可能である。
【００１７】
上述の方法により、本発明は二次成形の製造技術によってチューブ体１の両端それぞれに第１ヘッド２と第２ヘッド４をハンダシーリングする。そのうち、第２ヘッド４をハンダシーリングする際、環状固定部材３を用いることによりチューブ体１の端部の変形を防ぐため、二次成形過程におけるチューブ体１の変形がなく、ハンダシーリング効果を高められる。この方法は、ユーザーの異なる要望に応じてチューブ体１の両端に異なるタイプのチューブヘッドをハンダシーリングし、生産において多様化するニーズを満足させるものである。並びに、第１モールド１００と第２モールド２００の構造はシンプルであり、従来の製造技術の基礎上に過多の生産コストを付加させることはない。
【００１８】
図４から図１１に示す通り、本発明のダブルヘッドチューブは、チューブ体１、第１ヘッド２、環状固定部材３、及び第２ヘッド４を備える。第１ヘッド２はチューブ体１の一つの端部に係合させてハンダシーリングし、チューブ体１の別の一端部は環状固定部材３の外周に被嵌し、チューブ体１の別の一端部、環状固定部材３、及び第２ヘッド４を係合させてハンダシーリングする。環状固定部材３にはチューブ体１と第２ヘッド４に繋がる貫通孔３１を備える。
【００１９】
第１ヘッド２と第２ヘッド４にはそれぞれ、生産ニーズに応じた機能ヘッドを設けるか、機能ヘッドまたは回転蓋を取り付けるための接続ヘッドを設ける。
【００２０】
第２ヘッド４には環状固定部材３方向に突出した環状突出縁４１を形成し、環状突出縁４１を貫通孔３１に挿入する。環状突出縁４１の頂端には第２ヘッド４の径方向に沿って突出した位置限定部４２を形成し、位置限定部４２に対応する貫通孔３１箇所には位置限定段状部３２を形成する。位置限定部４２と位置限定段状部３２によって位置が限定されることで、それに係合する環状突出縁４１が貫通孔３１から離脱するのを防ぎ、第２ヘッド４と環状固定部材３とが係合する構造の安定性を向上させる。
【００２１】
本発明のダブルヘッドチューブは、第１外蓋５と第２外蓋６をさらに備え、第１外蓋５は可動状態で第１ヘッド２の外周に被嵌し、第２外蓋６も可動状態で第２ヘッド４の外周に被嵌する。その具体的な構造は、本発明の第１、第2、第3の実施形態に示す通りであり、第１ヘッド２の外周には第１外ねじ２１を形成し、第１外蓋５の内側には第１内ねじ５１を形成し、第１内ねじ５１と第１外ねじ２１とを係合させることで、第１ヘッド２上において第１外蓋５を取り外し可能な状態で取り付けることが実現する。第２ヘッド４の外周には第２外ねじ４３を形成し、第２外蓋６の内側には第２内ねじ６１を形成し、第２内ねじ６１と第２外ねじ４３とを係合させることで、第２ヘッド４上において第２外蓋６を取り外し可能な状態で取り付けることが実現する。また、対応するチューブ体１は円柱形とする。本発明の第４、第５実施形態に示す通り、第２外蓋６と第２ヘッド４の係合はカチャッと嵌着する方式とし、対応するチューブ体１は楕円柱形あるいはその他の非円柱形である。当然ながら、嵌着方式であっても円柱形のチューブ体１に適用する。
【００２２】
図４及び図５に示す通り、本発明の第１実施形態において、第１ヘッド２は接続ヘッドであり、並びに第１ヘッド２の開口内に取り付けるボールマッサージヘッド７は、取り外しできない状態で係合させるものとし、第１ヘッド２を機能ヘッドとして設ける。第２ヘッド４は小口径の注入口を備えた押出式機能ヘッドであり、並びに、その注入口の外端には金屬マッサージヘッド８を取り付ける。第１実施形態は、二種類の機能ヘッドを内容物に組み合わせて使用するユーザーのニーズを実現するものであるが、そのチューブ体１の両端は取り外しが不可能であるため、使用後に再度内容物を注入することはできない。
【００２３】
図６に示した本発明の第２実施形態と第１実施形態との相違点は、チューブ体１の内部に分割部１１を形成する点にある。その分割部１１は、チューブ体１に入れる内容物を二つの部屋に分けるものである。すなわち、一つのチューブ体１に二つの同じか異なる内容物を個別に注入して、異なるタイプの機能ヘッドに対応させ、ユーザーの多様化するニーズに応えることができる。
【００２４】
図７及び図８に示す通り、本発明の第３実施形態において、第１ヘッド２は接続ヘッドであり、第１ヘッド２に組み合わせた第１外蓋５は回転蓋である。第２ヘッド４は小口径の注入口を備えた押出式機能ヘッドであり、注入口の外端には金屬マッサージヘッド８を取り付ける。第３実施形態における内容物はただ一種の機能ヘッドを組み合わせて使用するものであるが、第１外蓋５を開いて、複数回、内容物を注入可能である。
【００２５】
図９及び図１０に示す通り、本発明の第４実施形態において第１ヘッド２は接続ヘッドであり、第１ヘッド２に組み合わせた第１外蓋５は回転蓋である。第２ヘッド４は回転軸９を有する回転軸式マッサージヘッドである。また同様に、第４実施形態における内容物はただ一種の機能ヘッドを組み合わせて使用するものであるが、第１外蓋５を開いて、複数回の内容物を注入することができる。
【００２６】
図１１に示す通り、本発明の第５実施形態において第１ヘッド２は接続ヘッドであり、第１ヘッド２に組み合わせた第１外蓋５は回転蓋である。第２ヘッド４は若干の回転ボール１０を有する回転ボール式マッサージヘッドである。また同様に、第５実施形態における内容物は単に一種の機能ヘッドを組み合わせて使用するものであるが、第１外蓋５を開いて複数回の内容物を注入することができる。
【００２７】
以上の実施形態のほか、機能ヘッドは髪梳き式機能ヘッド、刷毛式機能ヘッド、或いは突出粒式マッサージヘッド等の化粧品、医薬品分野に適用する各種機能ヘッドにしてもよく、塗る、拭く等の方式でチューブ体１の内容物を便利に使用することができる。
【００２８】
上述構造による本発明は、第２ヘッド４とチューブ体１のハンダシーリング箇所に環状固定部材３を設ける。環状固定部材３によってチューブ体１を支持して形状を保ち、これによってハンダシーリング効果を確実にし、生産時にチューブ体１の形状が変化しないという前提のもと、チューブ体１の両端に第１ヘッド２と第２ヘッド４をハンダシーリングして二次成形を施す。これにより、ユーザーの要望に応じて異なるタイプのチューブヘッドを取り付けるという目的を果たし、多様化生産というニーズも満足させることができる。
【符号の説明】
【００２９】
１００  第１モールド
１０１  第１位置限定体
２００  第２モールド
２０１  第２位置限定体
１  チューブ体
１１  分割部
２  第１ヘッド
２１  第１外ねじ
３  環状固定部材
３１  貫通孔
３２  位置限定段状部
４  第２ヘッド
４１  環状突出縁
４２  位置限定部
４３  第２外ねじ
５  第１外蓋
５１  第１内ねじ
６  第２外蓋
６１  第２内ねじ
７  ボールマッサージヘッド
８  金属マッサージヘッド
９  回転軸
１０  回転ボール
【図１】
0006896835.tif 000002
【図２】
0006896835.tif 000003
【図３】
0006896835.tif 000004
【図４】
0006896835.tif 000005
【図５】
0006896835.tif 000006
【図６】
0006896835.tif 000007
【図７】
0006896835.tif 000008
【図８】
0006896835.tif 000009
【図９】
0006896835.tif 000010
【図１０】
0006896835.tif 000011
【図１１】
0006896835.tif 000012